(57)【要約】      （修正有）【課題】持ち運びが容易で風雨に晒されても表示事項が読みづらくならない掲示具を提供する。【解決手段】可撓性を有する長方形状の緑色の基板シート２の上に透明な保護シート３を重ね、保護シート３の上辺、左辺、右辺の端縁を基板シート２に接着により密着することで、方形袋状の掲示具本体４が形成してある。保護シート３の下辺の開口は張り紙出し入れ口５と成っている。掲示具本体４の４隅と上辺の中央及び左右辺の途中３個所ずつに、基板シート２と保護シート３を表裏貫通したハトメ金具６を装着し、掲示具本体４の下辺中央に基板シート２と保護シート３に分離しての一対のハトメ金具７ａを装着し、これらのハトメ金具６、７ａにより、紐、針金、チェーンなどを用いて屋外のフェンス、柵、塀、建物、電柱などに着脱自在に取り付け可能となっている。【選択図】図４
0003174940.tif 000002
【実用新案登録請求の範囲】
【請求項１】
硬質又は可撓性を有する方形の基板シートの片面または両面に可撓性を有する方形で透明な保護シートを重ね、保護シートの３辺の端縁を基板シートに密着し、密着していない一辺を張り紙出し入れ口とする掲示具本体を形成し、
掲示具本体の少なくとも４隅に取付対象物への取付部を設けたこと、
を特徴とする掲示具。
【請求項２】
硬質又は可撓性を有する方形の基板シートの片面に、可撓性を有する透明な保護シートを複数枚並べて重ね、各保護シートの上辺及び左右辺の端縁を基板シートに密着し、密着していない一辺を張り紙出し入れ口とする掲示具本体を形成し、
掲示具本体の少なくとも４隅に取付対象物への取付部を設けたこと、
を特徴とする掲示具。
【請求項３】
基板シートの表面または保護シートの裏面に張り紙を係止する係止部を設けたこと、
を特徴とする請求項１または２記載の掲示具。
【請求項４】
基板シートの表面または保護シートに罫線を付したこと、
を特徴とする請求項１または２記載の掲示具。
【請求項５】
保護シートの張り紙出し入れ口を開閉自在に封止する封止部を設けたこと、
を特徴とする請求項１または２または３または４記載の掲示具。
【考案の詳細な説明】
【技術分野】
【０００１】
本考案は掲示具に係り、とくに屋外で使用する場合に好適な掲示具に関する。
【背景技術】
【０００２】
選挙ポスターの掲示など、屋外で一時的に情報を表示した張り紙を掲示する場合、地面に立てた木製の支柱にベニヤの掲示ボードを固定した掲示板が用いられており、張り紙をピン、テープで掲示ボードに固定するようにしていた（特許文献１、２参照）。
しかしながら、このような掲示板は架設の際、支柱と掲示ボードの両者を設置場所まで運び、地面に支柱を立設し、しかるのち支柱に掲示ボードを取り付けなければならず、作業が大変であった。また、張り紙が風雨に晒されて皺になったり、破れたりして表示事項が読みづらくなってしまう問題があった。
【先行技術文献】
【特許文献】
【０００３】
【特許文献１】特開２００７−２８６２０６号公報
【特許文献２】特開２００３−２９６７９号公報
【考案の概要】
【考案が解決しようとする課題】
【０００４】
本考案は上記した従来技術の問題に鑑みなされたもので、風雨に晒されても表示事項が読みづらくならない掲示具を提供することを、その目的とする。
また、他の考案は、表示事項を記載した張り紙を掲示具の所望位置に簡単にセッティングできるようにすることを、その目的とする。
【課題を解決するための手段】
【０００５】
本考案の請求項１記載の掲示具では、硬質又は可撓性を有する方形の基板シートの片面または両面に可撓性を有する方形で透明な保護シートを重ね、保護シートの３辺の端縁を基板シートに密着し、密着していない一辺を張り紙出し入れ口とする掲示具本体を形成し、掲示具本体の少なくとも４隅に取付対象物への取付部を設けたこと、を特徴としている。
本考案の請求項２記載の掲示具では、硬質又は可撓性を有する方形の基板シートの片面に、可撓性を有する透明な保護シートを複数枚並べて重ね、各保護シートの上辺及び左右辺の端縁を基板シートに密着し、密着していない一辺を張り紙出し入れ口とする掲示具本体を形成し、掲示具本体の少なくとも４隅に取付対象物への取付部を設けたこと、を特徴としている。
本考案の請求項３記載の掲示具では、基板シートの表面または保護シートの裏面に張り紙を係止する係止部を設けたこと、を特徴としている。
本考案の請求項４記載の掲示具では、基板シートの表面または保護シートに罫線を付したこと、を特徴としている。
本考案の請求項５記載の掲示具では、保護シートの張り紙出し入れ口を開閉自在に封止する封止部を設けたこと、を特徴としている。
本考案の請求項５記載の掲示具では、保護シートの張り紙出し入れ口を開閉自在に封止する封止部を設けたこと、を特徴としている。
【考案の効果】
【０００６】
本考案によれば、掲示具の内部に挿入された張り紙の上が保護シートで覆われるとともに、保護シートの３辺が基板シートに密着されているので、張り紙が雨風に晒されたり、雨水に濡れたりすることはなく、張り紙が皺になったり破れたりして表示事項が見づらくなることはなく、更に、張り紙が基板シートまたは保護シートにくっ付いて外せなくなったりすることもない。
また、他の考案によれば、基板シートの表面または保護シートの裏面に張り紙を係止する係止部を設けたことにより、掲示中に張り紙がずれないようにできるとともに、掲示具の所望の位置へ簡単にセッティングできる。
また、他の考案によれば、保護シートの一辺の張り紙出し入れ口を開閉自在に封止できるので、掲示中に張り紙が掲示具の下に抜け落ちるのを防止できる。
【図面の簡単な説明】
【０００７】
【図１】本考案の第１実施例に係る掲示具の正面図である（実施例１）。
【図２】図１の掲示具の背面図である。
【図３】図１の掲示具のIII-III'線に沿った縦断面図である。
【図４】図１の掲示具の使用状態の説明図である。
【図５】第１実施例の変形例に係る掲示具の一部省略した正面図である。
【図６】図５の掲示具の一部省略した左側面図である。
【図７】本考案の第２実施例に係る掲示具の正面図である（実施例２）。
【図８】図７の掲示具の背面図である。
【図９】図７の掲示具の使用状態の説明図である。
【図１０】本考案の第３実施例に係る掲示具の正面図である（実施例３）。
【図１１】図１０の掲示具の背面図である。
【図１２】図１０の掲示具のＸＩＩ−ＸＩＩ' 線に沿った縦断面図である。
【図１３】本考案の第４実施例に係る掲示具の正面図である（実施例４）。
【図１４】図１４の掲示具のＸＩＶ−ＸＩＶ' 線に沿った縦断面図である。
【図１５】図１４の掲示具の使用状態の説明図である。
【図１６】第４実施例の変形例に係る掲示具の正面図である。
【図１７】第４実施例の他の変形例に係る掲示具の正面図である。
【図１８】図１７の掲示具のＸＶＩＩＩ−ＸＶＩＩＩ' 線に沿った一部省略した縦断面図である。
【図１９】本考案の第５実施例に係る掲示具の正面図である（実施例５）。
【図２０】図１９の掲示具の使用状態の説明図である。
【考案を実施するための最良の形態】
【０００８】
以下、本考案の最良の形態を実施例に基づき説明する。
【実施例１】
【０００９】
図１乃至図３を参照して本考案の第１実施例を説明する。図１は本考案に係る掲示具の正面図、図２は背面図、図３は図１のＩＩＩ−ＩＩＩ’線に沿った縦断面図である。
図１乃至図３において、１は屋外で使用可能な可撓性を有するシート状の掲示具であり、全体が縦長の長方形状に形成されている。掲示具１の内、２は背面側に備えられた可撓性を有する長方形状の緑色の基板シート、３は前面側に備えられた可撓性を有し、基板シート２と同寸・同形で基板シート２の前面の上に重ねられた透明な保護シートである。基板シート２には風雨に強い合成ゴム製又はプラスチック製であり、塩化ビニルシート、クロロプレンゴムシートなどを用いることができ、保護シート３には風雨と紫外線に強い透明プラスチック製であり、透明ＵＶカットビニルシートなどを用いることができる。保護シート３は、上辺、左辺、右辺の３辺の端縁（図１の斜線範囲Ａ参照）が基板シート２に接着または熱溶着により密着されて一体化され、方形袋状の掲示具本体４が形成されている。保護シート３の下辺の開口は張り紙出し入れ口５と成っている。
【００１０】
掲示具本体４の４隅と上辺の中央及び左右辺の途中３個所ずつに、基板シート２と保護シート３を表裏貫通した取付部としてのハトメ金具６が装着されており、掲示具本体４の下辺中央に基板シート２と保護シート３に分けて個別に装着された取付部としての一対のハトメ金具７ａと７ｂが装着されており、これらのハトメ金具６、７ａ、７ｂにより、紐、針金、チェーンなどを用いて屋外のフェンス、柵、塀、建物、電柱などの取り付け対象物に着脱自在に取り付け可能となっている。ハトメ金具７ａと７ｂの図１における左側と右側には、張り紙出し入れ口５を開閉自在に封止するためのスナップボタン８、９が装着されている。スナップボタン８、９は保護シート３と基板シート２に分離して装着された一対のオス側スナップボタン８ａとメス側スナップボタン８ｂ、一対のオス側スナップボタン９ａとメス側スナップボタン９ｂから成る。
このように構成された掲示板１により、基板シート２と保護シート３の間に１つの袋状の張り紙収納部２０が形成されている。
【００１１】
次に、掲示具１の使用方法を説明する。
掲示具１の保管は折り畳み状態または巻き取り状態で行なうことで場所を取らない。設置場所への移動も、折り畳みまたは巻き取り状態で行なえるので、普通の乗用車で可能であり、トラックなどの大掛かりな車両を要しない。
屋外のフェンス、柵、塀、建物、電柱などの所望の設置場所に来たら、掲示具１を広げ、スナップボタン８、９をそれぞれ外して下端の張り紙出し入れ口５を開けて（図３の二点鎖線Ｂ参照）、基板シート２と保護シート３の間に所望の表示事項を記した張り紙３０を挿入し（図３の矢印Ｃ参照）、張り紙３０の全体を張り紙収納部２０の中の所望の配置位置に入れる（図４参照）。そして、スナップボタン８、９を嵌めて張り紙出し入れ口５を封止する。なお、挿入する張り紙３０は１枚でも良いが、複数枚を並べても良い。
【００１２】
続いて、掲示具１の上辺を上向きにして、紐、針金、チェーンなどをハトメ金具６、７ａと７ｂに通し、フェンス、柵、塀、建物、電柱などに固定する。
張り紙３０の表示事項は透明な保護シート３を通して外部から視認することができる。掲示具１に挿入された状態の張り紙３０は、基板シート２と保護シート３に挟まれて摩擦力を受けるので、ずれたり抜け出たりする恐れは殆んどない。万一ずれたとしても、ハトメ金具７ａ、７ｂが紐、針金、チェーンなどで留められるとともに、スナップボタン８、９が嵌められて張り紙出し入れ口５が封止されているので、張り紙３０が張り紙出し入れ口５から下方に抜け落ちることはない。なお、張り紙３０を基板シート２の表面に両面接着テープなどで貼り付けても良いのは勿論である。
また、張り紙３０の上が保護シート３で覆われているとともに、また保護シート３の上辺と左右辺が基板シート２に密着されているので基板シート２と保護シート３の間に雨風が侵入することもなく、張り紙３０が雨風に晒されたり、雨水に濡れたりすることはなく、張り紙３０が皺になったり破れたりして表示事項が見づらくなることはなく、更に、張り紙３０が基板シート２または保護シート３にくっ付いて外せなくなったりすることもない。
【００１３】
張り紙３０を取り替えたい場合は、スナップボタン８、９を外すとともに、ハトメ金具７ａ、７ｂに通した紐、針金、チェーンを外し、張り紙出し入れ口５を開けて交換すればよい。
また、掲示具１を回収したい場合は、ハトメ金具６、７ａ、７ｂに通した紐、針金、チェーンなどを外し、掲示具１を折り畳むかまたは巻き取ることで、簡単に移動・保管ができる。
なお、掲示具１の内部に張り紙３０をセットしたあとハトメ金具７ａ、７ｂに錠をして張り紙出し入れ口５を封止するようにすれば、張り紙３０を他人に取り出されるのを防止することもできる。
【００１４】
この実施例によれば、掲示具１の全体が可撓性を有し、折り畳んだり巻き取ったりしてコンパクトにできるので、移動・保管が簡単に行なえる。また、ハトメ金具６、７ａと７ｂに紐、針金、チェーンなどを通すことでフェンス、柵、塀、建物、電柱など様々な場所に容易に設置できる。また、張り紙３０の上が保護シート３で覆われるとともに、保護シート３の上辺と左右辺が基板シート２に密着されているので、張り紙３０が雨風に晒されたり、雨水に濡れたりすることはなく、張り紙３０が皺になったり破れたりして表示事項が見づらくなることはなく、更に、張り紙３０が基板シート２または保護シート３にくっ付いて外せなくなったりすることもない。
【００１５】
なお、上記した実施例では、掲示具本体の周囲に設けたハトメ金具に紐、針金、チェーン等を通してフェンス等に取り着けるようにしたが、図５、図６に示す如く、掲示具本体４の上辺の複数箇所に取付部としてのフック４０を別個装着しておき、掲示具１Ａの設置時に、このフック４０をフェンス等に引っ掛けるようにしても良い。
また、掲示具本体を縦長の形状としたが、横長の形状としても良い。
【実施例２】
【００１６】
図７、図８を参照して本考案の第２実施例を説明する。図７は本考案に係る掲示具の正面図、図８は背面図である。なお、第１実施例と同一の構成部分には同一の符号が付してある。
第１実施例では、掲示具が１つの張り紙収納部を有する場合を例に挙げたが、第２実施例では張り紙収納部を複数有する場合を例に挙げる。
図７、図８において、１Ｂは屋外で使用可能な可撓性を有するシート状の掲示具であり、全体が縦長の長方形状に形成されている。掲示具１Ｂの内、２は背面側に設けられた可撓性を有する長方形状の緑色の基板シート、３−１と３−２は前面側に設けられた可撓性を有し、各々基板シート２のほぼ半分の大きさで基板シート２の前面の上に上下に並べて重ねられた透明な保護シートである。保護シート３−１は、上辺、左辺、右辺の３辺の端縁（図７の斜線範囲Ａ１参照）が基板シート２に接着または熱溶着により密着されて一体化され、同様に、保護シート３−２は、上辺、左辺、右辺の３辺の端縁（図７の斜線範囲Ａ２参照）が基板シート２に接着または熱溶着により密着されて一体化され、方形の掲示具本体４Ｂが形成されている。保護シート３−１の下辺が開口して張り紙出し入れ口５−１を成しており、保護シート３−２の下辺が開口して張り紙出し入れ口５−２を成している。
【００１７】
掲示具本体４Ｂの４隅と上辺の中央及び左右辺の途中３個所ずつに、基板シート２と保護シート３−１、３−２を表裏貫通した取付部としてのハトメ金具６が装着されており、掲示具本体４Ｂの下辺中央に基板シート２と保護シート３−２に分けて個別に装着された取付部としての一対のハトメ金具７ａと７ｂが装着されており、これらのハトメ金具６、７ａ、７ｂにより、紐、針金、チェーンなどを用いて屋外のフェンス、柵、塀、建物、電柱などに着脱自在に取り付け可能となっている。ハトメ金具７ａと７ｂの図７における左側と右側には、張り紙出し入れ口５−２を開閉自在に封止するためのスナップボタン８、９が装着されている。スナップボタン８、９は保護シート３−２と基板シート２に分離して装着された一対のオス側スナップボタン８ａとメス側スナップボタン８ｂ、一対のオス側スナップボタン９ａとメス側スナップボタン９ｂから成る。
また、保護シート３−１の下端部には下辺に沿って、張り紙出し入れ口５−１を開閉自在に封止するための３組のスナップボタン１０〜１２が装着されている。スナップボタン１０〜１２は保護シート３−１と基板シート２に分離して装着された一対のオス側スナップボタン１０ａとメス側スナップボタン１０ｂ、一対のオス側スナップボタン１１ａとメス側スナップボタン１１ｂ、一対のオス側スナップボタン１２ａとメス側スナップボタン１２ｂから成る。
基板シート２と保護シート３−１により第１の張り紙収納部２０−１が形成されており、基板シート２と保護シート３−２により第２の張り紙収納部２０−２が形成されている。
【００１８】
次に、掲示具１Ｂの使用方法を説明する。
掲示具１Ｂの保管・移動も第１実施例の掲示具１と同様に折り畳み状態または巻き取り状態で行なうことができる。
屋外のフェンス、柵、塀、建物などの所望場所に設置する際、掲示具１Ｂを広げ、まず、第１の張り紙収納部２０−１のスナップボタン１０〜１２をそれぞれ外して張り紙出し入れ口５−１を開けた状態で、張り紙出し入れ口５−１から基板シート２と保護シート３−１の間に所望の表示事項を記した張り紙３０−１を挿入し、張り紙３０−１の全体を第１の張り紙収納部２０−１の中の所望の配置位置に入れる（図９参照）。そして、スナップボタン１０〜１２を嵌めて張り紙出し入れ口５−１を閉じて封止する。なお、挿入する張り紙３０−１は１枚でも良いが、複数枚を並べても良い。
次に、第２の張り紙収納部２０−２のスナップボタン８と９をそれぞれ外して張り紙出し入れ口５−２を開けた状態で、張り紙出し入れ口５−２から基板シート２と保護シート３−２の間に所望の表示事項を記した張り紙３０−２を挿入し、張り紙３０−２の全体を第２の張り紙収納部２０−２の中の所望の配置位置に入れる（図９参照）。そして、スナップボタン８、９を嵌めて張り紙出し入れ口５−２を閉じて封止する。なお、挿入する張り紙３０−２は１枚でも良いが、複数枚を並べても良い。
【００１９】
続いて、掲示具１Ｂの上辺を上向きにして、紐、針金、チェーンなどをハトメ金具６、７ａと７ｂに通し、フェンス、柵、塀、建物、電柱などに固定する。
張り紙３０−１、３０−２の表示事項は透明な保護シート３−１、３−２を通して外部から視認することができる。掲示具１Ｂに挿入された状態の張り紙３０−１、３０−２は、基板シート２と保護シート３−１、３−２に挟まれて摩擦力を受けるので、ずれたり抜け出たりする恐れは殆んどない。万一ずれたとしても、スナップボタン１０〜１２、８、９が嵌められており、ハトメ金具７ａ、７ｂが紐、針金、チェーンなどで留められているので、張り紙出し入れ口５−１、５−２から下方に抜け落ちることはない。
また、張り紙３０−１、３０−２の上が保護シート３−１、３−２で覆われるとともに、保護シート３−１、３−２の上辺と左右辺が基板シート２に密着されているので、張り紙３０−１、３０−２が雨風に晒されたり、雨水に濡れたりすることはなく、張り紙３０−１、３０−２が皺になったり破れたりして表示事項が見づらくなることはなく、更に、張り紙３０−１、３０−２が基板シート２または保護シート３−１、３−２にくっ付いて外せなくなったりすることもない。
【００２０】
この第２実施例によれば、掲示具１Ｂの全体が可撓性を有し、折り畳んだり巻き取ったりしてコンパクトにできるので、移動・保管が簡単に行なえる。また、ハトメ金具６、７ａと７ｂに紐、針金、チェーンなどを通すことでフェンス、柵、塀、建物、電柱など様々な場所に容易に設置できる。また、２つの張り紙収納部２０−１、２０−２を有するので、複数の張り紙３０−１、３０−２を上下に並べて掲示したい場合に、張り紙３０−１、３０−２を掲示具１Ｂの所望の配置位置へ容易にセッティングできる。
【実施例３】
【００２１】
次に、図１０乃至図１２を参照して本考案の第３実施例を説明する。図１０は本考案に係る掲示具の正面図、図１１は背面図、図１２は図１０のＸＩＩ−ＸＩＩ’線に沿った縦断面図である。なお、第１実施例と同一の構成部分には同一の符号が付してある。
この第３実施例は掲示具の表裏両側に張り紙を掲示可能としたものである。
図１０乃至図１２において１Ｃは屋外で使用可能な可撓性を有するシート状の掲示具であり、縦長の長方形状に形成されている。掲示具１Ｃは全体が３層構造になっており、２は真ん中の可撓性を有する長方形状の緑色の基板シート、３は前面側に設けられた可撓性を有し、基板シート２と同寸・同形で基板シート２の前面の上に重ねられた透明な保護シートであり、保護シート３は、上辺、左辺、右辺の３辺の端縁が基板シート２に接着または熱溶着されて密着されて一体化されている（図１０の斜線範囲Ａ参照）。３−３は背面側に設けられた可撓性を有し、基板シート２と同寸・同形で基板シート２の背面の上に重ねられた透明な保護シートであり、保護シート３−３は、上辺、左辺、右辺の端縁が基板シート２に接着または熱溶着されて密着されて一体化されている（図１２の斜線範囲Ａ３参照）。基板シート２、保護シート３、３−３により掲示具本体４Ｃが構成されている。保護シート３の下辺は開口して張り紙出し入れ口５を成しており、保護シート３−３の下辺は開口して張り紙出し入れ口５−３を成している。
【００２２】
掲示具本体４Ｃの４隅と上辺の中央及び左右辺の途中３個所ずつに、基板シート２と保護シート３、３−３を表裏貫通した取付部としてのハトメ金具６が装着されており、掲示具本体４Ｃの下辺中央に基板シート２、保護シート３、３−３に個別に装着された取付部としての一組のハトメ金具７ａ〜７ｃが装着されており、これらのハトメ金具６、７ａ〜７ｃにより、紐、針金、チェーンなどを用いて屋外のフェンス、柵、塀、建物、電柱などに着脱自在に取り付け可能となっている。
ハトメ金具７ａと７ｂの図１０における左側と右側には、張り紙出し入れ口５を開閉自在に封止するためのスナップボタン８、９が装着されている。スナップボタン８、９は保護シート３と基板シート２に分離して装着された一対のオス側スナップボタン８ａとメス側スナップボタン８ｂ、一対のオス側スナップボタン９ａとメス側スナップボタン９ｂから成る。同様に、ハトメ金具７ｃと７ｂの図１１における左側と右側には、張り紙出し入れ口５を開閉自在に封止するためのスナップボタン１３、１４が装着されている。スナップボタン１３、１４は保護シート３−３と基板シート２に分離して装着された一対のオス側スナップボタン１３ａとメス側スナップボタン１３ｂ、一対のオス側スナップボタン１４ａとメス側スナップボタン１４ｂから成る。
基板シート２と保護シート３により張り紙収納部２０が形成されており、基板シート２と保護シート３−３により張り紙収納部２０−３が形成されている。
【００２３】
次に、掲示具１Ｃの使用方法を説明する。
掲示具１Ｃの保管・移動は第１実施例の掲示具１と同様に折り畳み状態または巻き取り状態で行なうことができる。
屋外のフェンス、柵、塀、建物、電柱などの所望場所に設置する際、掲示具１Ｃを広げ、まず前面側のスナップボタン８、９をそれぞれ外して下端の張り紙出し入れ口５を開けて（図１２の二点鎖線Ｂ参照）、基板シート２と保護シート３の間に所望の表示事項を記した張り紙３０を挿入し（図１２の矢印Ｃ参照）、張り紙３０の全体を張り紙収納部２０の中の所望の配置位置に入れる。そして、スナップボタン８、９を嵌めて張り紙出し入れ口５を封止する。なお、挿入する張り紙３０は１枚でも良いが、複数枚を並べても良い。
続いて、背面側のスナップボタン１３、１４をそれぞれ外して下端の張り紙出し入れ口５−３を開けて（図１２の二点鎖線Ｄ参照）、基板シート２と保護シート３−３の間に所望の表示事項を記した張り紙３０−３を挿入し（図１２の矢印Ｅ参照）、張り紙３０−３の全体を張り紙収納部２０−３の中の所望の配置位置に入れる。そして、スナップボタン１３、１４を嵌めて張り紙出し入れ口５−３を封止する。なお、挿入する張り紙３０−３は１枚でも良いが、複数枚を並べても良い。
【００２４】
続いて、掲示具１Ｃの上辺を上向きにして、紐、針金、チェーンなどをハトメ金具６、７ａ〜７ｃに通し、フェンス、柵、塀、建物、電柱などに固定する。
張り紙３０、３０−３の表示事項は各々透明な保護シート３、３−３を通して外部から視認することができる。掲示具１Ｃに挿入された状態の張り紙３０、３０−３は、基板シート２と保護シート３、３−３に挟まれて摩擦力を受けるので、ずれたり抜け出たりする恐れは殆んどない。万一ずれたとしても、スナップボタン８、９、１３、１４が嵌められており、ハトメ金具７ａ〜７ｃが紐、針金、チェーンなどで留められているので、張り紙出し入れ口５、５−３から下方に抜け落ちることはない。
また、張り紙３０、３０−３の上が保護シート３、３−３で覆われるとともに、保護シート３、３−３の上辺と左右辺が基板シート２に密着されているので、張り紙３０、３０−３が雨風に晒されたり、雨水に濡れたりすることはなく、張り紙３０、３０−３が皺になったり破れたりして表示事項が見づらくなることはなく、更に、張り紙３０、３０−３が基板シート２または保護シート３、３−３にくっ付いて外せなくなったりすることもない。
【００２５】
この第３実施例によれば、掲示具１Ｃの前面側に張り紙収納部２０、背面側に張り紙収納部２０−３を備えたので、１つの掲示具１Ｃにより、前面側と背面側の両側で別個の張り紙を同時掲示可能となる。
【００２６】
なお、この第３実施例では、掲示具の表裏に同じ張り紙収納部を設ける場合を例に挙げたが、前面側を第１実施例と同じく１つの張り紙収納部とし、背面側を第２実施例と同様に複数の張り紙収納部としても良い。
また、背面側は、掲示具の１つの長辺が張り紙出し入れ口となるように、他の３辺で保護シートを基板シートに密着し、掲示具を横長向きにして使用できるようにしても良い。
【実施例４】
【００２７】
図１３、図１４を参照して本考案の第４実施例を説明する。図１３は本考案に係る掲示具の正面図、図１４は図１３のＸＩＶ−ＸＩＶ’線に沿った縦断面図である。なお、第１実施例と同一の構成部分には同一の符号が付してある。
第４実施例では、掲示具に張り紙の係止部を設けて、掲示中に張り紙がずれないようにするとともに、掲示具の所望の配置位置へ簡単にセッティングできるようにしたものである。
図１３、図１４において掲示具１Ｄの基板シート１の表面には、係止部の一例としての断面が上向きのコ字状で横長の複数の係止部材５０、５１、５２が上下に間隔をあけて横方向に延設した状態で接着剤により装着されている。掲示具１Ｄの他の構成部分は第１実施例と同様に構成されている。
【００２８】
この第４実施例によれば、図１５に示す如く張り紙３０−４、３０−５を張り紙収納部２０に挿入する際、張り紙３０−４、３０−５の下端を複数の係止部材５０〜５２の内、所望の１つに差し込むことで、張り紙３０−４、３０−５を掲示具１Ｄの所望の配置位置へ縦横真っ直ぐの姿勢に簡単にセッティングすることができ、かつ、長時間掲示しても下方にずれを生じないようにできる。なお、係止部材５０〜５２が横長なので、保管・移動時に掲示具１Ｄを上または下に巻き取り状態とすることができる。
【００２９】
なお、上記した第４実施例では、係止部を横長の係止部材により構成するようにしたが、図１６の掲示具１Ｅに示す如く幅の短い断面コ字状の係止部材６０、６１、６２・・を横に複数個並べて係止部を構成するようにしても良い。或いは、係止部材を取着する代わりに、図１７、図１８の掲示具１Ｆに示す如く、基板シート２に横長の張り紙係止溝７０、７１、７２を形成して張り紙３０−６の係止部としても良い。また、これらの係止部材または張り紙係止溝から成る係止部を保護シート３の裏面に設けるようにしても良い。
【実施例５】
【００３０】
図１９を参照して本考案の第５実施例を説明する。図１９は本考案に係る掲示具の正面図である。なお、第１実施例と同一の構成部分には同一の符号が付してある。
第５実施例では、掲示具に罫線を設けて、所望の配置位置へのセッティングを簡単に行なえるようにしたものである。
図１９において掲示具１Ｇの基板シート２の表面には縦横等間隔にマス目状の罫線８０が付されている。掲示具１Ｇの他の構成部分は第１実施例と同様に構成されている。
【００３１】
この第５実施例によれば、図２０に示す如く張り紙３０−７を張り紙収納部２０に挿入する際、張り紙３０−７の端辺を罫線８０に合わせることで、張り紙３０−７を掲示具１Ｇの所望の配置位置へ縦横真っ直ぐの姿勢に簡単にセッティングすることができる。
なお、罫線を基板シートでなく保護シートの表面または裏面に付すようにしても良い。
【００３２】
なお、上記した各実施例、変形例では、張り紙出し入れ口を開閉自在に封止する封止部材としてスナップボタンを設けるようにしたが、本考案はなんらこれに限定されず、チャック、マグネットなどを用いても良い。
また、基板シートを緑色のシートとしたが、黒等の他の有色シートとしたり、半透明または透明シートとしても良い。基板シートを透明シートとすれば張り紙の裏面の表示事項も外部から視認可能となる。
【産業上の利用可能性】
【００３３】
本考案は、雨風の当たる屋外や粉塵の多い工場内などで、宣伝・広告、業務案内、役所の公報、交通規制案内などの種々の表示事項を掲示する場合に適用可能である。
【符号の説明】
【００３４】
１、１Ａ、１Ｂ、１Ｃ、１Ｄ、１Ｅ、１Ｆ、１Ｇ  掲示具
２  基板シート
３、３−１、３−２、３−３  保護シート
４、４Ｂ、４Ｃ  掲示具本体
５、５−１、５−２、５−３  張り紙出し入れ口
６、７ａ〜７ｃ  ハトメ金具
８〜１４  スナップボタン
２０、２０−３  張り紙収納部
２０−１  第１の張り紙収納部
２０−２  第２の張り紙収納部
３０、３０−１、３０−２、３０−３、３０−４、３０−５、３０−６、３０−７  張り紙
４０  フック
５０〜５２、６０、６１、６２、・・  係止部材
７０〜７２  張り紙係止溝
８０  罫線
【図１】
0003174940.tif 000003
【図２】
0003174940.tif 000004
【図３】
0003174940.tif 000005
【図４】
0003174940.tif 000006
【図５】
0003174940.tif 000007
【図６】
0003174940.tif 000008
【図７】
0003174940.tif 000009
【図８】
0003174940.tif 000010
【図９】
0003174940.tif 000011
【図１０】
0003174940.tif 000012
【図１１】
0003174940.tif 000013
【図１２】
0003174940.tif 000014
【図１３】
0003174940.tif 000015
【図１４】
0003174940.tif 000016
【図１５】
0003174940.tif 000017
【図１６】
0003174940.tif 000018
【図１７】
0003174940.tif 000019
【図１８】
0003174940.tif 000020
【図１９】
0003174940.tif 000021
【図２０】
0003174940.tif 000022